(57)【特許請求の範囲】
【請求項１】
側溝と集水桝とが連結されて水路が形成され、前記集水桝に連結された側溝の底面より集水桝底面が深く形成された集水桝へ設置されるゴミキャッチ装置であり、
略方形状に形成した枠体と、
棒状異形鉄筋の略中間位置から長手方向両端部に向かって略凹状に折り曲げて形成され、前記略中間位置は直線状に構成された中間部を有し、前記枠体を構成する両側片と前記中間部とを添設して接続される棒状ハンガーと、を有し、
前記棒状ハンガーは、前記枠体の両側片に取り付けられた前記中間部の両端部側から、前記枠体の隅角部より上方に向かって延出する延出部と、該延出部の先端より前記枠体の外側に向かって折曲する折曲部とを有し、前記折曲部が集水桝の上壁に載置し、前記枠体を集水桝内において吊下げ状態で支持する枠体支持部材を形成し、
前記枠体は、上部を開口させて取り付けられた収集ネットを備え、
前記枠体は、前記側溝の底面と略同様の位置あるいは側溝の底面より深い位置で保持され、前記収集ネットは集水桝内で、宙吊り状態にして取り付けられている、
ことを特徴とするゴミキャッチ装置。
【請求項２】
前記集水桝の上壁に載置された折曲部は、止め具により前記上壁に固定される、
ことを特徴とする請求項１記載のゴミキャッチ装置。
【請求項３】
前記延出部は、延出方向に向かい長さ調整が可能な長さ調整機構が設けられている、
ことを特徴とする請求項１または請求項２記載のゴミキャッチ装置。
【請求項４】
前記枠体の大きさは、設置される集水桝内に遊嵌可能な大きさにしてなる、
ことを特徴とする請求項１、請求項２または請求項３記載のゴミキャッチ装置。
【発明の詳細な説明】
【技術分野】
【０００１】
本発明は、集水桝に連結された側溝の底面より集水桝底面が深く形成された集水桝へ設置されるゴミキャッチ装置に関するものである。
【背景技術】
【０００２】
従来より、側溝には土砂などを集める集水桝が連結されており、該集水桝には泥溜め部があって、該泥溜め部に溜まった泥を定期的にスコップなどで取り除き、側溝部に土砂が堆積しないようにしていた。
【０００３】
例えば従来では、特開平１０−１５９１６５号公開公報の様に、側溝から会所（桝）へボールやゴミ等が落ちないよう、また側溝へボールや落ち葉等が落ちても簡単に拾えるよう会所（桝）の入り口手前に設置するためのゴミキャッチネットの提案がなされているごときである。
【０００４】
しかしながら、長い側溝路に間隔をあけて設けられたひとつひとつの集水桝の清掃をすべて行うのは大変な重労働であり、時間と手間がかかる。
特に法面部の小段にある集水桝や高速道路脇の桝では、清掃時に危険も伴う。また、集水桝と連結された側溝の底面から集水桝底面までの長さが異なる各種集水桝、すなわち、集水桝の深さが異なる各種の集水桝が存在しており、これら深さの異なる集水桝については、従来では、深さの異なるゴミキャッチ装置をそれぞれ設置しなければならなかった。
【０００５】
そこで、本件発明者は、集水桝への設置が簡単で、また、堆積した土砂やゴミ等の処分も簡単かつ安全に処分することができ、よって集水桝内の掃除のコストを下げることができ、さらには、深さの異なる集水桝についても、深さの異なるゴミキャッチ装置を設置することなく、一種類のゴミキャッチ装置で兼用できる集水桝のゴミキャッチ装置を発明するに至っている。
【先行技術文献】
【特許文献】
【０００６】
【特許文献１】特開２０１４−５８８０４号公報
【発明の開示】
【発明が解決しようとする課題】
【０００７】
しかしながら、特開２０１４―５８８０４号のゴミキャッチ装置では、当該ゴミキャッチ装置の構成部品である「収集用ネット」に、落ち葉等の堆積物がたまった状態で「略方形状に枠組みされた枠体」と前記「収集ネット」を取り出そうと手を伸ばすとき、前記堆積物の中にマムシなどの毒蛇が潜んでいることがある。
【０００８】
また、落ち葉等の堆積物が「枠体」の上まで堆積してしまった場合、容易にこの枠体をつかむことが出来ず、簡単に取り出せない。すなわち、上部の堆積物をスコップ等で取り除いた後に手を伸ばして枠体をつかんで取り出さなければならないのである。
【０００９】
さらに、泥だめの高さ（集水桝と連結された側溝の底面から集水桝底面までの長さ）が異なる場合には、特願２０１４―２５５７６７号の発明のように特殊な構造が必要であるが、その分、製作コストが高騰し、不経済である。
【００１０】
また、ゲリラ豪雨などの場合には、雨水などが勢いよく流れ込み、「枠体」が集水桝から暴れて飛び出す危険がある。
【００１１】
かくして、本発明は前記従来の課題を解決するために創案されたものであって、収集用ネットに、落ち葉等の堆積物がたまった状態で略方形状に枠組みされた枠体と一緒に前記収集ネットを取り出そうと手を伸ばすとき、前記堆積物の中にマムシなどの毒蛇が潜んでいても、危険性を感ずることなく取り出すことが出来、また、落ち葉等の堆積物が前記枠体の上まで堆積してしまった場合にも、容易にこの枠体をつかむことが出来て簡単に取り出すことが出来、さらに、泥だめの高さ（集水桝と連結された側溝の底面から集水桝底面までの長さ）が異なる場合にも、簡単に対応できる構造であり、ゲリラ豪雨などの場合に、雨水などが勢いよく流れ込んでも、枠体が集水桝から暴れて飛び出すことがないのである。
【００１２】
すなわち、本発明は、取り出す場合に、ハンガータイプにしてあるため、集水桝の上部でつかむことが出来るので、マムシにかまれる危険も少なく、簡単に取り出すことが出来る。そして、集水桝の上部から側溝の底面までの長さは、一定の規格値（２５０ｍｍサイズ、３００ｍｍサイズ、３５０ｍｍサイズなど）で決まっているので、前記の規格値での一定の長さ（深さ）にして、その下にゴミ収集ネットを垂らすだけであるので、いわゆる泥だめの高さが異なっていても同じもので対応でき、集水桝上部でハンガー部の鉄筋を固定具で固定することによって、完全に固定され、いわゆる豪雨によっても飛び出すことがないゴミキャッチ装置を提供することを目的とするものである。
【課題を解決するための手段】
【００１３】
本発明は、
側溝と集水桝とが連結されて水路が形成され、前記集水桝に連結された側溝の底面より集水桝底面が深く形成された集水桝へ設置されるゴミキャッチ装置であり、
略方形状に形成した枠体と、
棒状異形鉄筋の略中間位置から長手方向両端部に向かって略凹状に折り曲げて形成され、前記略中間位置は直線状に構成された中間部を有し、前記枠体を構成する両側片と前記中間部とを添設して接続される棒状ハンガーと、を有し、
前記棒状ハンガーは、前記枠体の両側片に取り付けられた前記中間部の両端部側から、前記枠体の隅角部より上方に向かって延出する延出部と、該延出部の先端より前記枠体の外側に向かって折曲する折曲部とを有し、前記折曲部が集水桝の上壁に載置し、前記枠体を集水桝内において吊下げ状態で支持する枠体支持部材を形成し、
前記枠体は、上部を開口させて取り付けられた収集ネットを備え、
前記枠体は、前記側溝の底面と略同様の位置あるいは側溝の底面より深い位置で保持され、前記収集ネットは集水桝内で、宙吊り状態にして取り付けられている、
ことを特徴とし、
または、
前記集水桝の上壁に載置された折曲部は、止め具により前記上壁に固定される、
ことを特徴とし、
または、
前記延出部は、延出方向に向かい長さ調整が可能な長さ調整機構が設けられている、
ことを特徴とし、
または、
前記枠体の大きさは、設置される集水桝内に遊嵌可能な大きさにしてなる、
ことを特徴とするものである。
【発明の効果】
【００１４】
本発明によるゴミキャッチ装置であれば、収集用ネットに、落ち葉等の堆積物がたまった状態で略方形状に枠組みされた枠体と一緒に前記収集ネットを取り出そうと手を伸ばすとき、前記堆積物の中にマムシなどの毒蛇が潜んでいても、危険のおそれなく取り出すことが出来、また、落ち葉等の堆積物が前記枠体の上まで堆積してしまった場合にも、容易にこの枠体の先をつかむことが出来て簡単に取り出すことが出来、さらに、泥だめの高さ（集水桝と連結された側溝の底面から集水桝底面までの長さ）が異なる場合にも、簡単に対応できる構造であり、ゲリラ豪雨などの場合に、雨水などが集水桝に勢いよく流れ込んでも、枠体が集水桝から暴れて飛び出すことがなく、前記したように取り出す場合に、ハンガータイプにしてあるため、集水桝の上部でつかむことが出来るので、マムシにかまれる危険も少なく、簡単に取り出すことが出来、集水桝の上部から側溝の底面までの長さは、一定の規格値（２５０ｍｍサイズ、３００ｍｍサイズ、３５０ｍｍサイズなど）で決まっているので、前記の規格値での一定の長さ（深さ）にして、その下にゴミ収集ネットを垂らすだけよく、いわゆる泥だめの高さが異なっていても同じもので対応でき、集水桝上部でハンガー部の鉄筋を固定具で固定することによって、完全に固定され、いわゆる豪雨によっても飛び出すことがないとの優れた効果を奏する。
【発明を実施するための最良の形態】
【００１５】
以下、本発明を図に示す実施例に基づいて説明する。
【００１６】
図１に本発明による集水桝６に設置されるゴミキャッチ装置１の構成を示す。
本発明において、側溝２と集水桝６とが接続されて排水路が構成されている。ここで、本発明による集水桝６のゴミキャッチ装置１は、連結された側溝２の底面３から集水桝底面４までの長さが各々異なる各種集水桝６、すなわち集水桝６の深さが異なり、一定ではない各種集水桝６であっても兼用して使用できるゴミキャッチ装置１として構成されている。
【００１７】
ここで、本発明によるゴミキャッチ装置１の構成につき図１を参照して説明する。
ゴミキャッチ装置１は、略方形状に形成した枠体５を有している。該枠体５は、例えば異形鉄筋を四角形状に折り曲げて形成することが出来る。そして、本発明では前記枠体５を水平方向に配置して使用する。
【００１８】
枠体５の大きさについては何ら制限はないが、集水桝６に遊嵌する大きさであればよい。集水桝６の大きさより大きな枠体５は、集水桝６に入らないからである。
また、集水桝６の大きさがまちまちであるときは、枠体５を構成する各側片９の長さを長さ調節できるように構成すればよい。
【００１９】
次に、符号７は、棒状ハンガーを示し、該棒状ハンガー７は、図１に示すように、１本の長尺な棒状異形鉄筋が使用されており、この棒状異形鉄筋の略中間位置から長手方向両端部に向かって略凹状に折り曲げて形成する。
【００２０】
すなわち、図１に示すように、前記棒状ハンガー７は、その中間部８が直線状に構成されており、この直線状をなす中間部８を前記枠体５を構成する両側片９、９に添設して接続してある。
【００２１】
そして、前記枠体５の側片９、９に取り付けられた中間部８、８の両端部側からは、枠体５の隅角部１０より上方に向かって延出する様延出部１１、１１が形成されている。
【００２２】
さらに、前記延出部１１の先端からは前記枠体５の隅角部１０よりさらに外側に向かって折り曲がり、水平方向に向かって延びる折曲部１２が形成されている。しかして、直線状をなす中間部８、中間部８の両端から枠体５の隅角部１０より上方に向かって延出する様形成された延出部１１、及び延出部１１の先端から、前記枠体５の隅角部１０よりさらに外側に向かって折り曲がり水平方向に向かって延びる折曲部１２を有する棒状ハンガー７によって枠体支持部材１３が形成されるものとなる。
【００２３】
尚、枠体支持部材１３については、前記棒状ハンガー７を使用せず、延出部１１と折曲部１２とで構成された部材を用いても構わない。
【００２４】
折曲部１２が図１から理解されるように集水桝６の上壁１４に載置し、もって枠体支持部材１３によって枠体５が集水桝６内において吊り下げ状態で指示されるものとなっている。
そして、枠体５には上部を開口させた収集ネット１５が取り付けられるものとなる。
【００２５】
枠体５は、前記側溝２の底面３とほぼ同様の位置あるいは側溝２の底面３より深い位置で保持されものとなり、前記収集ネット１５は集水桝６内で、宙吊り状態にして取り付けられるものとなる。
尚、図示してはいないが、枠体支持部材１３の構成部材である延出部１１を長さ調節可能にすれば、深さの異なる側溝２にも容易に対応することが出来る。
【００２６】
図１において、集水桝６の上壁１４に載置された折曲部１２は、取り外し可能な止め具１６によって前記上壁１４に固定されており、収集ネット１５を取り出そうとするときは、前記止め具１６は容易に取り外せるようになっている。
【００２７】
以上において、集水桝６内に設置された本発明のゴミキャッチ装置１は側溝２側から流れてきた各種のゴミをキャッチして収集ネット１５内に収集する。そして、たとえ収集ネット１５内であふれ出るようにゴミが収集されたとしても、あるいは収集ネット１５内に危険動物が収集されたとしても、前記折曲部１２を掴んで集水桝６内からゴミキャッチ装置１を取り出せばよいものとなる。
【図面の簡単な説明】
【００２８】
【図１】本発明による集水桝のゴミキャッチ装置の構成を説明する構成説明図である。
【図２】本発明による集水桝のゴミキャッチ装置によってゴミを収集した状態を示す説明図である。
【符号の説明】
【００２９】
１     ゴミキャッチ装置
２     側溝
３     側溝底面
４     集水桝底面
５     枠体
６     集水桝
７     棒状ハンガー
８     棒状ハンガーの中間部
９     枠体の側片
１０   枠体の隅角部
１１   延出部
１２   折曲部
１３   枠体支持部材
１４   集水桝の上壁
１５   収集ネット
１６   止め具
【図１】
0006771264.tif 000002
【図２】
0006771264.tif 000003